(57)【特許請求の範囲】
【請求項１】
機器本体に着脱可能であり、記憶媒体が取り付けられた着脱可能部品と、
前記記憶媒体と情報を通信する通信部と、
前記通信部への電源供給を遮断する電源遮断部と、
前記機器本体に対する前記着脱可能部品の着脱方向に往復移動するノック部材及び移動子を有するノック機構とを備え、
前記ノック部材は、前記着脱可能部品の挿入に合わせて押圧される構成とされ、
前記移動子は、前記ノック部材に連動して、前記機器本体の内部から最も離れた初期位置から、前記機器本体の内部に最も入り込んだ最先端位置に向かって、前記着脱方向に往復移動し、前記着脱方向における前記初期位置及び前記最先端位置の中間位置で係止可能に形成され、
前記電源遮断部が、前記移動子が前記最先端位置に位置するときに、前記通信の電源供給を許可し、前記移動子が前記中間位置及び前記初期位置に位置するときには、前記通信の電源供給を遮断する電子機器。
【請求項２】
電気的接続を切断する切断部を更に備え、
前記移動子が、導電性で形成され、
前記移動子が前記最先端位置に移動して、前記移動子が前記切断部に接触し、電気的接続が形成されると、前記電源遮断部が前記通信の電源を供給する請求項１に記載の画像形成装置。
【請求項３】
前記移動子の前記最先端位置での有無を検出する移動子検出部を更に備え、
前記電源遮断部は、前記移動子検出部により前記移動子の前記最先端位置での存在が検出されると、前記通信の電源を供給する請求項１に記載の電子機器。
【請求項４】
前記着脱可能部品の脱出方向への移動を規制する規制部を備え、
前記移動子が前記中間位置で係止されると、前記規制部により前記着脱可能部品の脱出方向への移動が規制される請求項１乃至請求項３のいずれかに記載の電子機器。
【請求項５】
機器本体に着脱可能とされた着脱可能部品に取り付けられた記憶媒体との間で情報を通信する通信部と、
前記通信部への電源供給を遮断する電源遮断部と、
前記機器本体に対する前記着脱可能部品の着脱方向に往復移動するノック部材及び移動子を有するノック機構とを備え、
前記ノック部材は、前記着脱可能部品の挿入に合わせて押圧される構成とされ、
前記移動子は、前記ノック部材に連動して、前記機器本体の内部から最も離れた初期位置から、前記機器本体の内部に最も入り込んだ最先端位置に向かって、前記着脱方向に往復移動し、前記着脱方向における前記初期位置及び前記最先端位置の中間位置で係止可能に形成され、
前記電源遮断部が、前記移動子が前記最先端位置に位置するときに、前記通信の電源供給を許可し、前記移動子が前記中間位置及び前記初期位置に位置するときには、前記通信の電源供給を遮断する電子機器。
【請求項６】
請求項１乃至請求項５のいずれかに記載の電子機器に、
記録媒体に画像を形成する画像形成部を更に備え、
前記着脱可能部品が、前記画像形成部にトナーを補給するトナーカートリッジである画像形成装置。
【発明の詳細な説明】
【技術分野】
【０００１】
本発明は、電子機器及び画像形成装置に関し、特に、機器本体に着脱可能な部品に取り付けられた記憶媒体との通信に関する。
【背景技術】
【０００２】
画像形成装置にはトナーカートリッジや各種プロセスユニット、基板など、交換可能な部品が搭載されている。さらに、これら部品には、仕向け情報やユーザー情報（例えば、印字枚数）を記憶するための記憶媒体が装備されたものがある（例えば、下記の特許文献１を参照）。そして、このような記憶媒体には、一般的に非接触通信のＲＦ（Radio Frequency）ＩＤタグが採用され、装置本体側に設けられたリーダライターとの間で情報のやり取りが行われる。
【先行技術文献】
【特許文献】
【０００３】
【特許文献１】特開２００１−０２２２３０号公報
【発明の概要】
【発明が解決しようとする課題】
【０００４】
上記したような情報のやり取りは、装置動作中に常時行う必要はなく、部品の取り換え時に行えば使用上問題のないものが多い。しかしながら、装置動作中には記憶媒体との通信のために絶えず電源が供給されているため、無駄に電力を消費している。
【０００５】
このような問題を解決する方法としては、例えば、情報のやり取りが必要なタイミングをＣＰＵ（Central Processing Unit）が判断し、それ以外のときには、ＲＦＩＤタグへ電源が供給されないようにＣＰＵに制御させるという方法が挙げられるが、このような方法では、電源遮断用に新規にＣＰＵポートを用意する必要がある。
【０００６】
本発明は、上記の事情に鑑みなされたものであり、ＣＰＵポートを新たに追加しなくても、無駄な電力の消費を防止可能にすることを目的とする。
【課題を解決するための手段】
【０００７】
本発明の一局面に係る電子機器は、機器本体に着脱可能であり、記憶媒体が取り付けられた着脱可能部品と、
前記記憶媒体と情報を通信する通信部と、
前記通信部への電源供給を遮断する電源遮断部と、
前記機器本体に対する前記着脱可能部品の着脱方向に往復移動するノック部材及び移動子を有するノック機構とを備え、
前記ノック部材は、前記着脱可能部品の挿入に合わせて押圧される構成とされ、
前記移動子は、前記ノック部材に連動して、前記機器本体の内部から最も離れた初期位置から、前記機器本体の内部に最も入り込んだ最先端位置に向かって、前記着脱方向に往復移動し、前記着脱方向における前記初期位置及び前記最先端位置の中間位置で係止可能に形成され、
前記電源遮断部が、前記移動子が前記最先端位置に位置するときに、前記通信の電源供給を許可し、前記移動子が前記中間位置及び前記初期位置に位置するときには、前記通信の電源供給を遮断する。
【０００８】
本発明の一局面に係る電子機器は、機器本体に着脱可能とされた着脱可能部品に取り付けられた記憶媒体との間で情報を通信する通信部と、
前記通信部への電源供給を遮断する電源遮断部と、
前記機器本体に対する前記着脱可能部品の着脱方向に往復移動するノック部材及び移動子を有するノック機構とを備え、
前記ノック部材は、前記着脱可能部品の挿入に合わせて押圧される構成とされ、
前記移動子は、前記ノック部材に連動して、前記機器本体の内部から最も離れた初期位置から、前記機器本体の内部に最も入り込んだ最先端位置に向かって、前記着脱方向に往復移動し、前記着脱方向における前記初期位置及び前記最先端位置の中間位置で係止可能に形成され、
前記電源遮断部が、前記移動子が前記最先端位置に位置するときに、前記通信の電源供給を許可し、前記移動子が前記中間位置及び前記初期位置に位置するときには、前記通信の電源供給を遮断する。
【０００９】
また、本発明の一実施形態に係る画像形成装置は、上記いずれかの電子機器に、
記録媒体に画像を形成する画像形成部を更に備え、
前記着脱可能部品が、前記画像形成部にトナーを補給するトナーカートリッジである。
【発明の効果】
【００１０】
本発明によれば、機器本体に着脱可能な着脱可能部品（例えば、トナーカートリッジ）の挿入に合わせて、ノック部材が押圧され、それに連動して移動子が最先端位置に移動すると、部品との通信に電源が供給される。一方、移動子が最先端位置から離れ、中間位置及び初期位置へ移動すると、着脱可能部品との通信の電源が遮断される。
【００１１】
これにより、着脱可能部品を挿入する行為が行われるときにだけ（すなわち、情報のやり取りが必要となる、着脱可能部品の取り換えのときにだけ）、電源が供給されるので、無駄に電力が消費されるのを防ぐことができる。また、電力供給が必要なタイミングについては、移動子の移動という機械的な機構によって判断されるので、ソフト的に判断する必要はなく、電源遮断用のＣＰＵポートを新たに追加する必要はない。
【図面の簡単な説明】
【００１２】
【図１】本発明の第１実施形態に係る電子機器としての画像形成装置の構造を示した模式的な部分断面正面図である。
【図２】画像形成装置を構成するトナーカートリッジ及びその周辺部を概略的に示した斜視図である。
【図３】トナーカートリッジとトナーカートリッジ装着部との接合部に形成されるノック機構を概略的に示した分解側面図である。
【図４】（Ａ）〜（Ｅ）は、ノック機構の仕組みを説明するための説明図である。
【図５】（Ａ）〜（Ｅ）は、ノック機構の仕組みを説明するための説明図である。
【図６】トナーカートリッジ装着部の周辺部を概略的に示した部分断面側面図である。
【図７】ＲＦＩＤタグ及びリーダライターの周辺部における内部構成を示した図である。
【図８】第２実施形態に係るＲＦＩＤタグ及びリーダライターの周辺部における内部構成を示した図である。
【発明を実施するための形態】
【００１３】
以下、本発明の一実施形態に係る電子機器及び画像形成装置について図面を参照して説明する。図１は、本発明の第１実施形態に係る電子機器としての画像形成装置の構造を示した模式的な部分断面正面図である。画像形成装置１は、例えば、コピー機能、プリンター機能、スキャナー機能、及びファクシミリ機能のような複数の機能を兼ね備えた複合機であり、装置本体１１に、操作部４７、原稿給送部６、及び原稿読取部５を含んで構成されている。
【００１４】
操作部４７は、画像形成装置１が実行可能な各種動作及び処理について操作者から画像形成動作実行指示や原稿読取動作実行指示等の指示を受け付けるものであり、操作者への操作案内等を表示する表示部４７３を備えている。
【００１５】
画像形成部１２は、ブラック（Ｂｋ）用の画像形成ユニット１２Ｂｋ、イエロー（Ｙ）用の画像形成ユニット１２Ｙ、シアン（Ｃ）用の画像形成ユニット１２Ｃ、及びマゼンタ（Ｍ）用の画像形成ユニット１２Ｍを含んで構成され、これら画像形成ユニット１２Ｂｋ，１２Ｙ，１２Ｃ，１２Ｍはそれぞれドラム型の感光体１２１Ｂｋ，１２１Ｙ，１２１Ｃ，１２１Ｍを備え、感光体１２１Ｂｋ，１２１Ｙ，１２１Ｃ，１２１Ｍは、図中の反時計回りに回転駆動するようになっている。
【００１６】
トナーカートリッジ１７Ｂｋ，１７Ｙ，１７Ｃ，１７Ｍはそれぞれブラック用、イエロー用、シアン用、マゼンタ用のトナーを収納するものであり、感光体１２１Ｂｋ，１２１Ｙ，１２１Ｃ，１２１Ｍから離れた位置に、中間転写ベルト１２５を挟んで上方に、装置本体１１に設けられたトナーカートリッジ装着部（図示せず）に着脱自在に装着されている。
【００１７】
転写ユニット１２０は、その外周面にトナー像が転写される中間転写ベルト１２５、駆動ローラー１２５ａ、従動ローラー１２５ｂ、及び一次転写ローラー１２６を含んで構成されている。
【００１８】
中間転写ベルト１２５は、駆動ローラー１２５ａと従動ローラー１２５ｂとの間に張架され、感光体１２１Ｂｋ，１２１Ｙ，１２１Ｃ，１２１Ｍの周面に当接した状態で駆動ローラー１２５ａによって駆動され、感光体１２１Ｂｋ，１２１Ｙ，１２１Ｃ，１２１Ｍと同期しながら、無端走行する。
【００１９】
画像形成装置１によりカラー印刷が行われる場合について説明する。感光体１２１Ｂｋ，１２１Ｙ，１２１Ｃ，１２１Ｍの周囲が一様に帯電され（帯電工程）、電荷を帯びた感光体１２１Ｂｋ，１２１Ｙ，１２１Ｃ，１２１Ｍの表面に、画像データに基づいて、レーザー光が照射されて潜像が形成され（露光工程）、潜像がトナーで可視像化され（現像工程）、可視像化することによって形成されたトナー像が一次転写ローラー１２６によって中間転写ベルト１２５上に転写されるようになっている。
【００２０】
中間転写ベルト１２５上に転写される各色（ブラック、イエロー、シアン、マゼンタ）のトナー像は、転写タイミングを調整して中間転写ベルト１２５上で重ね合わされ、カラーのトナー像となる。
【００２１】
二次転写ローラー２１０は、中間転写ベルト１２５の表面に形成されたカラーのトナー像を、中間転写ベルト１２５を挟んだ、駆動ローラー１２５ａとのニップ部Ｎにおいて、給紙部１４から搬送路１９０を搬送されてきた用紙Ｐに転写させるものである。なお、ここまで説明したのはカラー印刷の場合であり、モノクロ印刷の場合には、イエロー用、シアン用、及びマゼンタ用の感光体１２１Ｙ，１２１Ｃ，１２１Ｍは使用されず、ブラック用の感光体１２１Ｂｋだけが使用されることになる。
【００２２】
定着部１３は、熱圧着によりトナー像を用紙Ｐに定着させるものであり、定着処理が施されたカラー画像形成済みの用紙Ｐは、排出トレイ１５１に排出される。
【００２３】
図２は、トナーカートリッジ１７（１７Ｂｋ，１７Ｙ，１７Ｃ，１７Ｍ）及びその周辺部を概略的に示した斜視図である。トナーカートリッジ１７は、装置本体１１（図１）に着脱可能とされている。画像形成装置１には、トナーカートリッジ１７を着脱自在に装着するためのトナーカートリッジ装着部２０が設けられている。トナーカートリッジ１７は、特許請求の範囲における着脱可能部品の一例となる。なお、画像形成装置１は、トナーカートリッジ１７を、その構成の一部としてもよいし、構成ではない別部品としてもよい。
【００２４】
トナーカートリッジ１７の挿入方向の先端側には、仕向け情報やユーザー情報などを記憶する記憶部（メモリー等）を有するＲＦＩＤタグ１８が取り付けられている。なお、ＲＦＩＤタグ１８は、特許請求の範囲における記憶媒体の一例となる。
【００２５】
トナーカートリッジ装着部２０には、トナーカートリッジ１７を収容する収容部２１が形成され、収容部２１の一端は開口されて開口部２２が形成され、他端は閉鎖されている。トナーカートリッジ１７が収容部２１に収容されると、トナーカートリッジ１７の上記先端側は、閉鎖面２３に近接する位置に達する。閉鎖面２３には、装着されたトナーカートリッジ１７のＲＦＩＤタグ１８と対向する位置にリーダライター２４が取り付けられ、電波を用いた近距離の無線通信によってＲＦＩＤタグ１８と情報を通信する。また、トナーカートリッジ装着部２０の上壁２５には、収容したトナーカートリッジ１７の取り外し（離脱）方向への移動を規制するためのブレーキ部材８１（図６）を挿入する隙間２６が形成されている。リーダライター２４は、特許請求の範囲における通信部の一例となる。
【００２６】
また、装着されたトナーカートリッジ１７とトナーカートリッジ装着部２０とが接合する部分には、後述するノック機構３０（図３）が形成され、ノック機構３０を構成するノック部材７０は収容部２１の内側に突出し、トナーカートリッジ１７の挿入に合わせて押圧されるように配置されている。
【００２７】
なお、図示していないが、トナーカートリッジ１７及びトナーカートリッジ装着部２０の下壁にはそれぞれトナー補給口が形成され、トナーカートリッジ１７がトナーカートリッジ装着部２０に装着されると、それぞれのトナー補給口が開き、画像形成部１２（図１）へトナーが補給されるようになっている。
【００２８】
図３は、トナーカートリッジ１７とトナーカートリッジ装着部２０との接合部に形成されるノック機構３０を概略的に示した分解側面図である。ノック機構３０は、筒状部材４０、回転子５０、スプリング６０、及びノック部材７０を含んで構成され、図中の矢印Ａの方向（トナーカートリッジ１７の挿入方向）にノック部材７０は押圧される。なお、回転子５０は、特許請求の範囲における移動子の一例となる。
【００２９】
筒状部材４０の内周面の後端付近には、カム溝４１が形成されている。カム溝４１には、後端側（図中の右端側）から見て時計回りに、第１斜面カム４２、第２斜面カム４３、及び凹部４４が形成されている。また、これら第１斜面カム４２、第２斜面カム４３、及び凹部４４はそれぞれ複数形成されている。
【００３０】
回転子５０は、筒状部材４０の内径よりもやや小径の円筒５１を含んで構成され、筒状部材４０の先端側に挿入される部材である。円筒５１の外周面の後端側には、長手方向に沿った突状として形成された、筒状部材４０のカム溝４１と係合するリブ５２が周方向に等間隔に複数設けられている。また、回転子５０の先端には、スプリング６０が当接され、回転子５０は後方（矢印Ａ方向とは反対方向）へ付勢されている。
【００３１】
ノック部材７０は、ほぼ円筒状に形成され、その径は筒状部材４０の内径とほぼ同じであり、筒状部材４０の後端側に挿入される部材であり、トナーカートリッジ１７（図２）が挿入方向（装着方向）に押されたときに、矢印Ａの方向に押圧される。また、ノック部材７０の先端には、回転子５０のリブ５２と係合する斜面カム７１が形成されている。
【００３２】
次に、ノック機構３０の仕組みについて、図４、図５を用いて説明する。図４（Ａ）は、トナーカートリッジ１７（図２）をトナーカートリッジ装着部２０（図２）へ取り付ける前の状態を示しており、ノック部材７０及び回転子５０は初期位置である最後端位置に存在し、回転子５０のリブ５２は筒状部材４０の凹部４４に押し込まれ、回転子５０のリブ５２はノック部材７０の斜面カム７１に係合されている。
【００３３】
トナーカートリッジ１７が作業者によってトナーカートリッジ装着部２０に挿入され、ノック部材７０が矢印Ｂの方向に押圧されると、図４（Ｂ）に示すように、ノック部材７０によって回転子５０が矢印Ｂの方向に押され、図４（Ｃ）に示すように、回転子５０のリブ５２が筒状部材４０の第１斜面カム４２を超える位置まで押し出されると、リブ５２がノック部材７０の斜面カム７１を滑り（図中の上方向にリブ５２が移動し）、回転子５０が後端側から見て時計回りの方向に回転する。
【００３４】
この後、さらにノック部材７０が押圧され、ノック部材７０及び回転子５０が矢印Ｂの方向に移動し、図４（Ｄ）に示すように、ノック部材７０が構造上の先端限界位置まで移動し、押圧から解放されると（具体的には、トナーカートリッジ１７から作業者が手を放す）、回転子５０もノック部材７０の押圧から解放されるので、スプリング６０の付勢力によって、回転子５０は矢印Ｂの方向とは反対方向へ移動する。そして、それに連動してノック部材７０も矢印Ｂ方向とは反対方向へ移動する。なお、ノック部材７０が先端限界位置まで移動した時に、回転子５０が到達する位置が回転子５０の最先端位置となる。
【００３５】
回転子５０が矢印Ｂの方向とは反対方向へ移動し、回転子５０のリブ５２が筒状部材４０の第１斜面カム４２へ到達すると、図４（Ｅ）に示すように、リブ５２は第１斜面カム４２を滑り（図中の上方向にリブ５２が移動し）、回転子５０は後端側から見て時計回りの方向に回転する。これにより、リブ５２は第１斜面カム４２で係合され、回転子５０は係止される。なお、この係止位置が、特許請求の範囲における中間位置の一例となる。
【００３６】
図５（Ａ）は、トナーカートリッジ１７（図２）がトナーカートリッジ装着部２０（図２）へ取り付けられた状態（図４（Ｅ））を示しており、回転子５０は係止位置に存在し、回転子５０のリブ５２は筒状部材４０の第１斜面カム４２で係合され、回転子５０は係止されている。
【００３７】
この状態から、トナーカートリッジ１７が作業者によって挿入方向へ押されると、ノック部材７０は矢印Ｂの方向に押圧され、図５（Ｂ）に示すように、ノック部材７０の斜面カム７１が筒状部材４０の第１斜面カム４２まで到達すると、ノック部材７０の斜面カム７１が回転子５０のリブ５２に当接し、回転子５０はノック部材７０に矢印Ｂの方向に押される。
【００３８】
回転子５０が矢印Ｂの方向に押されると、回転子５０のリブ５２と筒状部材４０の第１斜面カム４２との係合が解除され、回転子５０のリブ５２はノック部材７０の斜面カム７１を滑り（図中の上方向にリブ５２が移動し）、回転子５０が後端側から見て時計回りの方向に回転する。
【００３９】
この後、さらにノック部材７０が押圧され、ノック部材７０及び回転子５０が矢印Ｂの方向に移動し、図５（Ｃ）に示すように、ノック部材７０が構造上の先端限界位置まで移動し、押圧から解放されると（具体的には、トナーカートリッジ１７から作業者が手を放す）、回転子５０もノック部材７０の押圧から解放されるので、スプリング６０の付勢力によって、回転子５０は矢印Ｂの方向とは反対方向へ移動する。そして、それに連動してノック部材７０も矢印Ｂ方向とは反対方向へ移動する。なお、上記したように、ノック部材７０が先端限界位置まで移動した時に、回転子５０が到達する位置が回転子５０の最先端位置となる。
【００４０】
回転子５０が矢印Ｂの方向とは反対方向へ移動し、回転子５０のリブ５２が筒状部材４０の第２斜面カム４３へ到達すると、図５（Ｄ）に示すように、リブ５２は第２斜面カム４３を滑り（図中の上方向にリブ５２が移動し）、回転子５０は後端側から見て時計回りの方向に回転する。
【００４１】
回転子５０のリブ５２が第２斜面カム４３を滑り、第２斜面カム４３から外れ、凹部４４に移動すると、図５（Ｅ）に示すように、リブ５２の移動を妨げるものがなくなるので、スプリング６０の付勢力によって、回転子５０は最後端位置まで移動する。そして、それと連動してノック部材７０も矢印Ｂ方向とは反対方向へ移動し、ノック部材７０によってトナーカートリッジ１７がトナーカートリッジ装着部２０から押し出される。これにより、トナーカートリッジ１７が取り出しやすくなる。
【００４２】
上記したように、ノック部材７０の押圧により、回転子５０は、トナーカートリッジ１７の着脱方向へ往復移動するとともに、往復移動の範囲（最後端位置と最先端位置との間）の中間位置で係止可能に形成されている。
【００４３】
図６は、トナーカートリッジ装着部２０の周辺部を概略的に示した部分断面側面図である。トナーカートリッジ１７の離脱方向への移動を規制する規制部８０は、トナーカートリッジ装着部２０の上壁２５に形成された隙間２６へ挿入するブレーキ部材８１と、ブレーキ部材８１を保持する保持部材８２と、保持部材８２を制御することによって、ブレーキ部材８１をトナーカートリッジ１７に対して接離する方向に移動させる接離部８３とを備える。
【００４４】
接離部８３は、回転子５０の移動に連動するように構成され、回転子５０のリブ５２が筒状部材４０の第１斜面カム４２で係合され、回転子５０が係止されると、ブレーキ部材８１がトナーカートリッジ１７に接触する方向に保持部材８２を制御し（図６（Ｂ））、回転子５０が係止状態から解除されると、ブレーキ部材８１がトナーカートリッジ１７から離脱する方向に保持部材８２を制御する（図６（Ａ））。なお、ノック機構を利用して、移動を規制する技術については、例えば、特開２０１５−０７４８９５号公報に開示されている。これにより、トナーカートリッジ１７がトナーカートリッジ装着部２０に装着されてノック部材７０が押圧されている状態では、ブレーキ部材８１がトナーカートリッジ１７に接触して、トナーカートリッジ１７の上記着脱方向への移動を抑制する。また、トナーカートリッジ１７がトナーカートリッジ装着部２０から取り外される状態になり、ノック部材７０が押圧されてない状態では、ブレーキ部材８１がトナーカートリッジ１７から離脱するため、トナーカートリッジ１７は上記着脱方向に円滑に移動可能となる。
【００４５】
図７は、画像形成装置１のＲＦＩＤタグ１８及びリーダライター２４の周辺部における内部構成を示した図である。ＣＰＵ９０は、画像形成装置１の制御を司るものであり、リーダライター２４を介して、ＲＦＩＤタグ１８との情報のやり取りを行う。リーダライター２４は、電源遮断部９１を挟んで、ＶＣＣ電源に接続されるとともに、接地されている。
【００４６】
ＲＦＩＤタグ１８とリーダライター２４とは電波を用いて無線通信が行われ、両者の距離が最大通信可能距離Ｓ１以下である場合、通信可能となる。リーダライター２４は、ＲＦＩＤタグ１８へ電源信号、クロック信号、及びグラウンド信号（ＧＮＤ）を送信するとともに、リーダライター２４は、ＲＦＩＤタグ１８に対するデータの読み書きを行う。
【００４７】
図４（Ｄ）、図５（Ｃ）に示すように、回転子５０が最先端位置へ移動するのは、トナーカートリッジ１７（図２）の挿入に合わせて、ノック部材７０が矢印Ｂの方向に押圧され、ノック部材７０が最先端位置まで移動したときであり、トナーカートリッジ１７に取り付けられたＲＦＩＤタグ１８とトナーカートリッジ装着部２０の閉鎖面２３に取り付けられたリーダライター２４との距離が最も短くなるときである。
【００４８】
そして、その距離をＬ１とした場合、ノック機構３０は、Ｌ１＜最大通信可能距離Ｓ１の関係が成り立つように形成されている。あるいは、最大通信可能距離Ｓ１が、Ｌ１＜最大通信可能距離Ｓ１の関係を満たす、ＲＦＩＤタグ１８及びリーダライター２４が採用されている。
【００４９】
図７に示す電源遮断部９１は、リーダライター２４への電源供給を遮断するものであり、バッテリーＢａに切断部９２を介して接続されている。切断部９２は、端子９３，９４を含んで構成されている。
【００５０】
回転子５０は導電性で形成され、矢印Ｃの方向（トナーカートリッジ１７の挿入方向）に移動可能であり、回転子５０が最先端位置へ移動すると、回転子５０は端子９３，９４に接触し、電源遮断部９１とバッテリーＢａとの間で電気的接続が形成され、電源遮断部９１に電気信号が流れる。一方、回転子５０が矢印Ｃの方向とは反対方向へ移動し、回転子５０が最先端位置から離れ、回転子５０が係止位置へ移動すると、回転子５０は端子９３，９４から離れ、電源遮断部９１とバッテリーＢａとの間での電気的接続は解消される。
【００５１】
電源遮断部９１は、この電気信号を取り込んだとき（回転子５０が最先端位置へ移動したとき）、リーダライター２４へ電源を供給し、それ以外の時には、リーダライター２４への電源供給を遮断する。
【００５２】
そのため、図４（Ｄ）、図５（Ｃ）に示したように、回転子５０が最先端位置へ移動している場合、トナーカートリッジ１７に取り付けられたＲＦＩＤタグ１８とリーダライター２４との距離が通信可能範囲となり、図４（Ｅ）、図５（Ａ）に示したように、回転子５０が係止位置（中間位置）へ移動している場合、ＲＦＩＤタグ１８とリーダライター２４との距離が通信可能範囲から外れる。
【００５３】
上記実施形態によれば、装置本体１１に着脱可能なトナーカートリッジ１７の挿入に合わせて、ノック部材７０が押圧され、それに連動して回転子５０が最先端位置へ移動すると、トナーカートリッジ１７に取り付けられたＲＦＩＤタグ１８とリーダライター２４との通信が可能となる。一方、回転子５０が最先端位置から離れ、中間位置へ移動すると、ＲＦＩＤタグ１８とリーダライター２４との通信が不可能となる。
【００５４】
これにより、トナーカートリッジ１７を挿入する行為及び取り外す行為が行われるときにだけ（すなわち、情報のやりとりが必要となる、トナーカートリッジ１７の取り換えのときにだけ）、両者の通信が可能となる。従って、必要なときにだけＲＦＩＤタグ１８とリーダライター２４との間で通信が行われるので、無駄に電力が消費されるのを防ぐことができる。また、電力供給が必要なタイミングについては、回転子５０の移動という機械的な機構によって判断されるので、ソフト的に判断する必要はなく、電源遮断用のＣＰＵポートを新たに追加する必要はない。
【００５５】
図８は、第２実施形態に係る、画像形成装置１のＲＦＩＤタグ１８及びリーダライター２４の周辺部における内部構成を示した図である。上記したように、ノック機構３０は、Ｌ１＜最大通信可能距離Ｓ１の関係が成り立つように形成されている。あるいは、最大通信可能距離Ｓ１が、Ｌ１＜最大通信可能距離Ｓ１の関係を満たす、ＲＦＩＤタグ１８及びリーダライター２４が採用されている。なお、図７に示した内部構成と同様の構成部分については同符号を付し、ここではその詳しい説明を省略する。
【００５６】
電源遮断部９１は、リーダライター２４への電源供給を遮断するものであり、ＰＩ（Photo Interrupter）センサー９５に接続されている。ＰＩセンサー９５は発光部及び受光部を備え、発光部からの光の遮断を検出することによって、回転子５０の最先端位置付近での物体の有無を判定する。なお、ＰＩセンサーは、特許請求の範囲における移動子検出部の一例となる。
【００５７】
回転子５０は、矢印Ｃの方向（トナーカートリッジ１７の挿入方向）に移動可能であり、回転子５０が最先端位置へ移動すると、ＰＩセンサー９５が回転子５０を検出し、ＰＩセンサー９５は電源遮断部９１に電気信号を出力する。一方、回転子５０が矢印Ｃの方向とは反対方向へ移動し、回転子５０が最先端位置から離れ、回転子５０が係止位置へ移動した場合には、ＰＩセンサー９５によって回転子５０は検出されず、ＰＩセンサー９５から電源遮断部９１へ電気信号は出力されない。
【００５８】
電源遮断部９１は、この電気信号を取り込んだとき（回転子５０が最先端位置へ移動したとき）、リーダライター２４へ電源を供給し、それ以外の時には、リーダライター２４への電源供給を遮断する。
【００５９】
そのため、図４（Ｄ）、図５（Ｃ）に示したように、回転子５０が最先端位置へ移動している場合、トナーカートリッジ１７に取り付けられたＲＦＩＤタグ１８とリーダライター２４との通信が可能となり、図４（Ｅ）、図５（Ａ）に示したように、回転子５０が係止位置（中間位置）へ移動している場合、ＲＦＩＤタグ１８とリーダライター２４との通信が不可能となる。
【００６０】
なお、上記実施形態では、ノック機構３０を装置本体１１に形成する場合について説明しているが、ノック機構３０については、トナーカートリッジ１７に形成するようにしても良い。
【００６１】
本発明は上記実施の形態の構成に限られず種々の変形が可能である。また、上記実施形態では、本発明に係る電子機器の一実施形態として画像形成装置の複合機を用いて説明しているが、これは一例に過ぎず、他の電子機器、例えば、コピー機能、プリンター機能、スキャナー機能、ファクシミリ機能を有した他の画像形成装置でもよい。
【００６２】
また、上記実施形態では、図１乃至図８を用いて上記実施形態により示した構成及び処理は、本発明の一実施形態に過ぎず、本発明を当該構成及び処理に限定する趣旨ではない。
【符号の説明】
【００６３】
１        画像形成装置
１２      画像形成部
１７      トナーカートリッジ
１８      ＲＦＩＤタグ
２０      トナーカートリッジ装着部
２４      リーダライター
３０      ノック機構
４０      筒状部材
５０      回転子
６０      スプリング
７０      ノック部材
８０      規制部
９１      電源遮断部
９２      切断部
９５      ＰＩセンサー
【図１】
0006398916.tif 000002
【図２】
0006398916.tif 000003
【図３】
0006398916.tif 000004
【図４】
0006398916.tif 000005
【図５】
0006398916.tif 000006
【図６】
0006398916.tif 000007
【図７】
0006398916.tif 000008
【図８】
0006398916.tif 000009